【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
オーディオケーブルであって、ケーブルを構成するワイヤーに沿って磁石を設け、これをもって当該ワイヤーに磁束を供給し、この一磁石のブロックを１ケーブル長とし、各ブロックを連ねて全ケーブル長とし、当該ワイヤーに電流を流すと発生する内部磁界を分散する手段を設けることを特徴とするオーディオケーブル。
【請求項２】
オーデイオケーブルであって、ケーブルを構成するワイヤーに沿って磁石を設け、当該磁石を片方を磁石とし他方を磁石または磁性体の少なくとも一つとする一対のものとし、これをもって当該ワイヤーに磁束を供給し、この一対の磁石のブロックを１ケーブル長とし、各ブロックを連ねて全ケーブル長とし、当該ワイヤーに電流を流すと発生する内部磁界を分散する手段を設けることを特徴とするオーデイオケーブル。
【手続補正２】
【補正対象書類名】明細書
【補正対象項目名】全文
【補正方法】変更
【補正の内容】
【発明の詳細な説明】
【発明の名称】オーディオケーブル
【技術分野】
【０００１】この発明は、オーディオ装置間の配線やスピーカーケーブル等のオーディオケーブルに関するものである。
【背景技術】
【０００２】現在のスピーカーケーブルやインターコネクトケーブルには多種多様なものが販売されておりケーブルの材質等、各種ケーブルの音質に与える影響や音の変化を楽しむなど様々な用途のために用いられている。一般的に耳で聴いた評価に頼っていて音質についての本質については、はっきりしていないように見える。
【先行技術文献】
【特許文献】
【０００３】
【特許文献１】特願２０１７−１１５４８０
【発明の概要】
【発明が解決しようとする課題】
【０００４】ケーブル自身の音質特性をスピーカーからでる音質とをもって物理的、心理的に評価するのは難しいことであるが、オーディオケーブルの音質要因として信号伝送路として、あるいは信号の流れるワイヤー自体の中身を考える方法があり、現状では多種多様のものがオーディオケーブルとして市販されている。本発明についてはワイヤー    に信号を流した場合に生ずる磁界が当該ワイヤー内部の中心部に行くほどその強度が増し、それによる自己インダクタンスの増加によって周波数が高くなるほどインピーダンスが大きくなり電流が流れ難くなるという，表皮効果による音質への悪影響を減少するためになされるものである。
【課題を解決するための手段】
【０００５】請求項１にについて本発明は前記課題の解決のため以下の手段をを案出した。オーディオケーブルであって、ケーブルを構成するワイヤー    に磁石をもって磁束を供給し、当該ワイヤー    に電流を流すと発生する内部磁界を分散する手段を設けて表皮効果の影響を減少するオーディオケーブルである。【０００６】請求項２について本発明は前記課題の解決のため以下の手段を案出した。オーデイオケーブルであって、ケーブルを構成するワイヤーに沿って磁石を設け、当該磁石を片方を磁石とし他方を磁石または磁性体の少なくとも一つとする一対のものとし、これをもって当該ワイヤーに磁束を供給し、この一対の磁石のブロックを１ケーブル長とし、各ブロックを連ねて全ケーブル長とし、当該ワイヤ−に電流を流すと発生する内部磁界を分散する手段を設ける。【０００７】請求項１と請求項２について、ワイヤーに設ける磁石は、各ブロックごとにＮ極とＳ  極とを有する一対の磁石とし、前記オーディオケーブル内のワイヤーを当該一対の磁石で両側からはさみ一ブロック長とし、同様に各々のブロックを連ねて全ケーブル長とするものである。【０００８】請求項２について本発明は前記課題の解決のため以下の手段を案出した。オーディオケーブルを構成するワイヤー部材に磁束を供給するための磁石を、片方を磁石とし他方を磁石および磁性材料の少なくとも一つとし、それをもって前記オーディオケーブルを挟み抑える。
【発明の効果】
【０００９】ワイヤー    に流す電流によって磁界が生じ、その磁界は当該ワイヤー内部の外側より内側のほうが強くなっていくために，そこで発生する渦電流によって当該ワイヤーの中心部にいくほど自己インダクタンスが増加し、従って流れる電流の周波数が高くなるにつれて中心部分寄りのインピーダンスが高くなる。前記周波数が高いほど全体としての電流が前記ワイヤーの表面部分を通して流れるようになりその中心部分は流れにくくなる表皮効果として現れる。この結果音質劣化は避けられないものである。【００１０】ここで磁石によって強磁界を作り、その中に電流の流れるワイヤーを設けることで以下の効果を示す。ワイヤーの材料が銅のように空気と同じ透磁率を有するワイヤー    は、当該ワイヤー    の内部における磁束密度をＢｗとし、前記磁石の強磁界による磁束密度をＢｏとすればＢｏ＞＞Ｂｗであり、当該磁石によって生じる強磁界に比べて当該ワイヤー    の中心部近傍で生じる表皮効果をもたらす磁界は無視できるほど小さく、当該磁石によって当該ワイヤー    内部に生じる磁界だけを考えればよいことになる。【００１１】この磁石による強磁界によって前記ワイヤー    内部の磁界は均一に保たれ、使用オーディオ周波数帯域全般にわたって平坦な周波数特性を得られるものである。このように磁石を全ケーブル長にわたって設けたことにより表皮効果の影響がなくなり、高域周波数帯域でもたらされる高いインピーダンスがなくなり高域周波数帯域での音質が繊細になり立ち上がりや立下りがシャープになりメリハリのある音質に変化することがみられる。【００１２】前記ワイヤーを這わせた磁石は図２に示すようにＮ極とＳ極とを交互に並び替えて配置することで当該ワイヤーに供給する磁束の方向を交互に反対方向にはたらかせ、そのワイヤーでの磁石による磁界が平均化され表皮効果の影響を減少させる。【００１３】前記オーディオケーブルをスピーカーケーブルとして用いた場合、スピーカーのボイスコイルから生じる逆起電流が流れるが、それを力ＦとしてＦ＝Ｂ・ｌ・ｉ（Ｂｌは磁石によるフォースファクターでｉはケーブルに流れる逆起電流である。）として、運動エネルギーとして放散し、当該逆起電流を吸収する。
【図面の簡単な説明】
【００１４】
【図１】  本発明によるケーブルのワイヤーに磁束を供給する原理図である。
【図２】  本発明によるオーディオケーブル全長にわたり磁界を加える説明図
【図３】  本発明によるオーディオケーブルに脱着可能な磁石による磁界分散器具の説明図である。
【発明を実施するための形態】
【００１５】オーディオケーブルに信号電流を流すと          その電流によって磁界が生じ、オーディオケーブルのワイヤー内部の内側に行くほどその磁界が強くなり、中心部に近いほどそれによる自己インダクタンスが増加し、インピーダンスが増し電流が流れにくくなる。これは信号周波数を高くするにつれてこの流れにくくなる領域が広がり前記ケーブルのワイヤー    の表面部  にしか流れなくなるものである。
【００１６】本発明による方法によって磁石を前記オーディオケーブルに挟み込み、その強磁界をもって当該ワイヤー内部に生じた自己インダクタンス増加の要因となる，信号電流によって発生する磁界を分散させ、当該ワイヤー内部を均一な磁界にすることで表皮効果の影響をなくするものである。
【００１７】請求項１について本発明を実施するための形態を図１に基づいて説明する。前記オーディオケーブル内のワイヤー（１）の両側を磁石１（２）と磁石２（３）をもってはさみ当該ワイヤーに磁束を供給する。磁石１（２）と磁石２（３）はＮ極とＳ極、又はＳ極とＮ極と極性の異なる磁石を一対とする。これによる強磁界に比べて当該ワイヤー内部の中心部近傍で生じる表皮効果をもたらす，信号電流による磁界は無視できるほど小さいものとなり表皮効果の影響を除く均一な磁界となる。磁石１（２）と磁石２（３）によって生じる強磁界で均一磁界をはかる。
【００１８】請求項１について図２に基づいて説明する。請求項１に記載の磁石を一対の磁石１（４）と磁石２（５）とし、前記オーディオケーブル内のワイヤー（６）をこれで両側からはさみ一ブロックを一ケーブル長（７）とし、同様に各々の磁石ブロックを連ねて全ケーブル長とする。図１に示す磁石１（２）と磁石２（３）を前記オーディオケーブル内のワイヤーをはさみ、図２に示す様に各ブロックとして前記ケーブル長に沿って一対としてはさみ連続してこれをとりつける。これにより全ケーブル長にわたって前記ケーブル内部の磁界が均一になり表皮効果の影響がなくなる。
【００１９】請求項２について図２に基づいて説明する。図２に示す各ブロック毎にケーブル長に沿って前記磁石１（４）と磁石２（５）をワイヤーの両側からはさみ、連続してそれを連ねるにあたり各々のブロック毎にＮ極とＳ極との極性を交互に並び替えて設ける。これによって前記オーディオケーブル内のワイヤー内部の磁界を平均化する。
【００２０】請求項２について図３に基づいて説明する。前記一対の磁石ブロックについて片方を磁石にして他方を磁石及び鉄などの磁性材料の少なくとも一つとし、これらでオーディオケーブルをはさみ抑える機能を持たせる。
【００２１】図３に示す様に中板（８）を備えた筒状の容器（９）に切り込み（１０）を設け、その切り込み（１０）の間を通して前記オーディオケーブルを挿入する。前記筒状の容器（９）の上側からＮ極性を有するネオジム磁石（１１）を挿入し、同容器（９）の下側からＳ極性を有するネオジム磁石（１２）を挿入する。前記ネオジム磁石（１１）と同磁石（１２）は異極性をもつもので互いに引き合い、前記オーディオケーブル（１３）をはさんで互いに磁力で引き合い密着する。これにより前記オーディオケーブル（１３）は固定され、前記磁石により強磁界が生じ表皮効果の影響を防ぎ音質向上になる。本発明によるこのオーディオケーブル内部磁界分散器具を全ケーブル長にわたって複数個取り付けるものである。
【００２２】前記オーディオケーブルをスピーカーケーブルとして用いた場合、スピーカーのボイスコイルから生じる逆起電流が流れるが、それを力ＦとしてＦ＝Ｂ・ｌ・ｉ（Ｂｌは磁石によるフォースファクターでｉはケーブルに流れる逆起電流である。）として、運動エネルギーとして放散し、当該逆起電流を吸収する。
【符号の説明】
【００２３】１    ：    ワイヤー
２：  ネオジム磁石１
３：  ネオジム磁石２
４：  磁石１
５：  磁石２
６：  ワイヤー
７：  一ケーブル長
８：  中板
９：  容器
１０：  切り込み
１１：  ネオジム磁石１１
１２：  ネオジム磁石１２
１３：  オーディオケーブル